(57)【要約】      （修正有）【課題】点滴スタンドの利用者が移動する際に該点滴スタンドの輸液フックの折り返し部の先端がカーテン等に引っかかってしまう不具合を解消する。【解決手段】移動可能な脚ベース１に支柱２を支持させ、その支柱２に輸液パックＰを掛けるための輸液フック３を設けてなる点滴スタンドＳにおいて、前記輸液フック３が、支柱２から外方に延出する延出桿３１と、この延出桿３１の延出端部に設けられたフック本体３２とを備え、前記フック本体３２が、前記延出桿３１の延出端に連続して設けられ上下方向に延びる上下延出部と、この上下延出部の延出端に連続して設けられ支柱２側に折り返す折り返し部とを具備してなり、その折り返し部の先端と前記延出桿との間に形成される開口が、支柱２側から輸液パックＰを挿脱し得る方向に開放されている構成を採用する。【選択図】図１
2013017653.tif 000002
【特許請求の範囲】
【請求項１】
移動可能な脚ベースに支柱を支持させ、その支柱に輸液パックを掛けるための輸液フックを設けてなる点滴スタンドであって、
前記輸液フックが、支柱から外方に延出する延出桿と、この延出桿の延出端部に設けられたフック本体とを備え、前記フック本体が、前記延出桿の延出端に連続して設けられ上下方向に延びる上下延出部と、この上下延出部の延出端に連続して設けられ支柱側に折り返す折り返し部とを具備してなり、その折り返し部の先端と前記延出桿との間に形成される開口が、支柱側から輸液パックを挿脱し得る方向に開放されていることを特徴とする点滴スタンド。
【請求項２】
前記折り返し部の先端が、支柱に向けて延出している請求項１記載の点滴スタンド。
【請求項３】
前記折り返し部の先端部分が、前記延出桿と平行である請求項２記載の点滴スタンド。
【請求項４】
前記延出桿と前記フック本体とが、連続した細長い素材により作られたものである請求項１、２又は３記載の点滴スタンド。
【請求項５】
前記延出桿と前記フック本体とが、同一平面に沿って配置されたものである請求項１、２、３又は４記載の点滴スタンド。
【請求項６】
前記フック本体が、前記延出桿の延出端から下方に延びる上下延出部と、この上下延出部の延出端に連続して設けられ支柱側に折り返す折り返し部とを備えたものであり、前記折り返し部が、前記輸液パックを掛け止める掛け止め部分と、この掛け止め部分から連続して上方に延びる上向き部分と、この上向き部分の上端に連続して設けられ支柱に向かって延びる先端部分とを備えたものであり、この先端部分と前記延出桿との間に輸液パックを挿脱するための開口が形成されている請求項１、２、３、４又は５記載の点滴スタンド。
【発明の詳細な説明】
【技術分野】
【０００１】
本発明は、病院等に用いられるものであって、移動可能な脚ベースに支柱を支持させ、その支柱に輸液パックを掛けるための輸液フックを設けてなる点滴スタンドに関する。
【背景技術】
【０００２】
従来より、病院内や診療所内において、点滴を受けている間でも病院内や診療所内を移動することができるようにするための点滴スタンドに対する要望が存在する。この要望に対応すべく、移動可能な脚ベースに支柱を支持させ、その支柱に輸液パックを掛けるための輸液フックを設けてなる点滴スタンドが用いられてきている。
【０００３】
このような点滴スタンドの輸液フックには、従来、支柱から外方に延出する延出桿と、この延出桿の延出端部に設けられたフック本体とを備え、前記フック本体が、前記延出桿の延出端に連続して設けられ上下方向に延びる上下延出部と、この上下延出部の延出端に連続して設けられ支柱側に折り返す折り返し部とを具備してなり、その折り返し部の先端が延出桿より上方に延び、該折り返し部の先端と前記延出桿との間に形成される開口が上方に開放されている構成が採用されている。さらに、折り返し部の先端部分と延出桿との間には輸液パックが通過可能な隙間が設けられている（例えば、特許文献１を参照）。
【０００４】
ところで、病院内には、ベッド間の仕切りや窓ガラス近傍等にカーテンが多数設けられているが、このような構成の点滴スタンドを利用して入院患者が病院内を移動する際、折り返し部の先端がカーテンに引っかかってしまう不具合が発生することがある。
【先行技術文献】
【特許文献】
【０００５】
【特許文献１】特開２００６−２３０４７９号公報
【発明の概要】
【発明が解決しようとする課題】
【０００６】
本発明は以上の点に着目し、点滴スタンドの利用者が移動する際に該点滴スタンドの輸液フックの折り返し部の先端がカーテン等に引っかかってしまう不具合の発生を抑制することを目的とする。
【課題を解決するための手段】
【０００７】
すなわち本発明に係る点滴スタンドは、移動可能な脚ベースに支柱を支持させ、その支柱に輸液パックを掛けるための輸液フックを設けてなる点滴スタンドであって、前記輸液フックが、支柱から外方に延出する延出桿と、この延出桿の延出端部に設けられたフック本体とを備え、前記フック本体が、前記延出桿の延出端に連続して設けられ上下方向に延びる上下延出部と、この上下延出部の延出端に連続して設けられ支柱側に折り返す折り返し部とを具備してなり、その折り返し部の先端と前記延出桿との間に形成される開口が、支柱側から輸液パックを挿脱し得る方向に開放されていることを特徴とする。
【０００８】
このようなものであれば、折り返し部の先端は延出桿の略直下又は直上に位置することとなり、該折り返し部の先端と前記延出桿との間に形成される開口内にカーテンが挟まることが起こりにくくなるので、入院患者が病院内を移動する際に点滴スタンドの輸液フックの折り返し部の先端がカーテンに引っかかってしまう不具合の発生を抑制することができる。
【０００９】
輸液フックへの輸液パックの取り付けの便を図ることができる構成の一例として、前記折り返し部の先端が、支柱に向けて延出しているものが挙げられる。
【００１０】
特に、前記折り返し部の先端部分が、前記延出桿と平行であれば、折り返し部の先端部分に輸液パックを引っ掛けた後輸液パックを支柱から遠ざかる方向に略水平移動させることにより輸液パックを取り付けることができるので、より好適に輸液フックへの輸液パックの取り付けの便を図ることができる。
【００１１】
このような輸液フックを少ない部品点数で容易に形成できるようにするための態様の一例として、前記延出桿と前記フック本体とが、連続した細長い素材により作られたものが挙げられる。
【００１２】
このような輸液フックを容易に形成できるようにするとともに輸液フックにカーテンが引っかかる不具合の発生をより効果的に解消できるようにするための態様の一例として、前記延出桿と前記フック本体とが、同一平面に沿って配置されたものが挙げられる。
【００１３】
そして、このような点滴スタンドの輸液フックのフック本体の具体的な構成の一例として、前記フック本体が、前記延出桿の延出端から下方に延びる上下延出部と、この上下延出部の延出端に連続して設けられ支柱側に折り返す折り返し部とを備えたものであり、前記折り返し部が、前記輸液パックを掛け止める掛け止め部分と、この掛け止め部分から連続して上方に延びる上向き部分と、この上向き部分の上端に連続して設けられ支柱に向かって延びる先端部分とを備えたものであり、この先端部分と前記延出桿との間に輸液パックを挿脱するための開口が形成されているものが挙げられる。
【発明の効果】
【００１４】
本発明によれば、利用者が移動する際に点滴スタンドの輸液フックの折り返し部の先端がカーテン等に引っかかってしまう不具合の発生を抑制することができる。
【図面の簡単な説明】
【００１５】
【図１】本発明の一実施形態に係る点滴スタンドを示す全体斜視図。
【図２】同実施形態に係る点滴スタンドを示す正面図。
【図３】同実施形態に係る点滴スタンドを示す左側面図。
【図４】同実施形態に係る点滴スタンドを示す平面図。
【図５】図２におけるＡ−Ａ断面図。
【図６】図２におけるＢ−Ｂ断面図。
【図７】図２における要部を破断して示す図。
【図８】同実施形態に係る輸液フックの取付態様を示す分解斜視図。
【図９】同実施形態に係る点滴スタンドのネスティング態様を示す図。
【図１０】本発明の第１の変形例に係る点滴スタンドを示す背面図。
【図１１】同変形例に係る点滴スタンドを示す左側面図。
【図１２】同変形例に係る点滴スタンドのネスティング態様を示す図。
【図１３】同変形例に係る点滴スタンドのネスティング態様を示す図。
【図１４】本発明の第２の変形例に係る点滴スタンドの輸液フックを示す正面図。
【図１５】本発明の第３の変形例に係る点滴スタンドの輸液フックを示す正面図。
【図１６】本発明の第４の変形例に係る点滴スタンドの輸液フックを示す正面図。
【発明を実施するための形態】
【００１６】
以下本発明の一実施形態を、図１〜図９を参照して説明する。
【００１７】
この点滴スタンドＳは、図１〜図４に示すように、移動可能な脚ベース１に支柱２を支持させ、その支柱２に輸液パックＰを掛けるための輸液パック保持部である輸液フック３及び左右両側及び前側からそれぞれ把持可能なハンドル４を設けてなる。なお、図２及び図３においては、支柱２を一部省略して示している。
【００１８】
脚ベース１は、図１〜図６に示すように、キャスタ１１と、キャスタ１１を支持する支持部材１２とを具備してなる。支持部材１２は、樹脂により一体に成形されたもので、前記支柱２を支持するための左右方向に延びる中心フレーム１２１と、この中心フレーム１２１の左右両端から前方に延出する前側の２本の脚フレーム１２２と、前記中心フレーム１２１の中間部から後方に延出する後側の２本の脚フレーム１２３とを備えており、平面視略Ｈ字状をなしている。前記中心フレーム１２１の中央には、前記支柱２が立設されている。前記中心フレーム１２１及び前記前側の２本の脚フレーム１２２は、略同一平面上に配置されているとともに、前記後側の２本の脚フレーム１２３は前記中心フレーム１２１の下面１２１ａから略水平に延びるように配置されている。この支持部材１２の高さ寸法ｈ１は、一般的な病室用ベッド下方の隙間に挿入可能な大きさに設定されている。また、この脚ベース１は、前側の左右に隣接する２つのキャスタ１１間の距離ｗ１を前側の左のキャスタ１１に隣接する後側の左のキャスタ１１と前側の右のキャスタ１１に隣接する後側の右のキャスタ１１との間の距離ｗ２よりも大きく設定してある。さらに、この脚ベース１は、前側の左右のキャスタ１１間に前方に開放された前の起立空間１ｓ１が形成され、前側の左のキャスタ１１と後側の左のキャスタ１１との間に左側方及び後方に開放された左の起立空間１ｓ２が形成され、前側の右のキャスタ１１と後側の右のキャスタ１１との間に右側方及び後方に開放された右の起立空間１ｓ３が形成されるように構成されたものである。すなわち、脚フレーム１２２、１２３の先端部１２２ａ、１２３ａ以外の部分が、少なくとも前側の左のキャスタ１１と後側の左のキャスタ１１とを結ぶ直線、前側の右のキャスタ１１と後側の右のキャスタ１１とを結ぶ直線よりも内側に位置している。また、前側の脚フレーム１２２の先端部１２２ａ以外の部分が、前側の左のキャスタ１１と前側の右のキャスタ１１とを結ぶ直線よりも内側に位置している。具体的には、前記脚ベース１は、先端にキャスタ１１を有した４本の脚フレーム１２２、１２３を有し、前側のキャスタ１１を支持する２本の脚フレーム１２２及び後側のキャスタ１１を支持する２本の脚フレーム１２３がそれぞれ平面視において先端側が拡開するハの字状に配されており、前側の脚フレーム１２２の下に同一構造をなす他の点滴スタンドＳの後側の脚フレーム１２３を通過させることが可能な空間が形成されるように構成されている。この構成によって、後述するように複数の点滴スタンドＳをネスティングすることができるようにしてある。前記前の起立空間１ｓ１は、平面視において前方に開放されたもので、この点滴スタンドＳの前側に起立した使用者Ｕが当該点滴スタンドＳを後方に、すなわち使用者Ｕの進行方向に押しながら歩行することが可能な大きさに設定されている。前記左の起立空間１ｓ２は、平面視において左側方及び後方に開放されたもので、この点滴スタンドＳの左側に起立した使用者Ｕが当該点滴スタンドＳを前方に押しながら歩行することが可能な大きさに設定されている。前記右の起立空間１ｓ３は、平面視において右側方及び後方に開放されたもので、この点滴スタンドＳの右側に起立した使用者Ｕが当該点滴スタンドＳを前方に押しながら歩行することが可能な大きさに設定されている。そして、前記支持部材１２を構成する前側の２本の脚フレーム１２２の下に、前記前の起立空間１ｓ１及び前記左右の起立空間１ｓ２、１ｓ３にそれぞれ連通する蹴り込み空間１ｓ４が形成されている。この蹴り込み空間１ｓ４は、正面視、側面視及び背面視において視認可能に開口したもので、その高さ寸法ｈ２は、一般的な体格を有する成人のつま先が歩行中に進入可能な大きさに設定されている。一方、前記キャスタ１１は、双輪タイプのもので、その幅寸法はエレベータと該エレベータの乗り口との間の隙間の幅寸法よりも大きい。具体的には、前記キャスタ１１の幅寸法は３０ｍｍ以上であることが望ましく、本実施形態では６０ｍｍに設定されている。
【００１９】
前記支柱２は、伸縮可能なもので、図１〜図３及び図７に示すように、前記脚ベース１に立設された下部要素２１と、この下部要素２１に上下スライド可能に嵌め合わされ前記輸液フック３を支持する上部要素２２とを備えたものである。前記下部要素２１は、脚ベース１の前記中心フレーム１２１に立設された金属パイプ材製のものである。前記上部要素２２は、前記下部要素２１の内周にスライド可能に嵌合された金属パイプ材製のものである。この上部要素２２を緊締機構２３により前記下部要素２１に対して上下位置変更可能に固定している。この緊締機構２３は、前記輸液フック３よりも下方に位置する部位に設けられている。前記緊締機構２３は、図７に示すように、前記支柱２に設けられた雌ねじ２３１ａを有するフレーム２３１と、このフレーム２３１の雌ねじ２３１ａに螺着された雄ねじ２３２ａを有するグリップ２３２と、前記雄ねじ２３２ａが外部に露出することを防止するカバー２３３とを具備する。換言すれば、前記緊締機構２３は、前記支柱２の下部要素２１の上端部に設けられた雌ねじ２３１ａを有するフレーム２３１と、このフレーム２３１の雌ねじ２３１ａに螺着されその先端で上部要素２２の外周を押し付けることによりこの上部要素２２を前記下部要素２１に固定するための雄ねじ２３２ａを有するグリップ２３２と、前記雄ねじ２３２ａが外部に露出することを防止するカバー２３３とを具備する。前記フレーム２３１は、前記支柱２の下部要素２１の上端部２１ａと、この上端部２１ａに外嵌させた合成樹脂製の外嵌部材２３１ｂとを備えてなるもので、前記下部要素２１の上端部２１ａ及び外嵌部材２３１ｂのいずれか一方に雌ねじ２３１ａを有している。前記グリップ２３２は、前記雄ねじ２３２ａを保持する軸部２３２ｂと、この軸部２３２ｂに回転力を付与するための把持部２３２ｃと、この把持部２３２ｃと前記軸部２３２ｂの外面とを滑らかに連続させる中間部２３２ｄとを備えたものである。すなわちこの中間部２３２ｄは、軸部２３２ｂから把持部２３２ｃに向かって漸次径が増大する曲面形状をなしている。前記カバー２３３は、前記フレーム２３１に設けられ前記グリップ２３２の軸部２３２ｂの外周に相対回転可能に外嵌する筒状のものである。具体的には、このカバー２３３は、前記フレーム２３１の外嵌部材２３１ｂと一体に形成された薄肉円筒体状のもので、このカバー２３３の外周面２３２ａと前記グリップ２３２の中間部２３２ｄの外周面２３２ｄ１とが大きな段差を伴うことなく略連続するように構成されている。そして、この支柱２の上端には、各輸液フック３に掛けられた輸液パックＰ同士が干渉しないように複数の前記輸液フック３が放射状に設けられている。この実施形態においては、４本の前記輸液フック３を着脱自在に取り付けることができるようになっているが、図面では２本の輸液フック３を装着した状態を示している。
【００２０】
前記各輸液フック３は、図１及び図２に示すように、支柱２に設けたフック取付部材５から外方に延出する延出桿３１と、この延出桿３１の延出端部に設けられたフック本体３２とを備えている。これら延出桿３１と前記フック本体３２とは、連続した細長い素材により作られたものであり、同一平面に沿って配置されている。前記フック本体３２は、前記延出桿３１の延出端に連続して設けられ下方に延びる上下延出部３２１と、この上下延出部３２１の延出端に連続して設けられ支柱２側に折り返す折り返し部３２２とを具備してなり、その折り返し部３２２の先端３２２ｘと前記延出桿３１との間に形成される開口３ｓが、支柱２側から輸液パックＰを挿脱し得る方向に開放されている。前記上下延出部３２１は、延出桿３１の延出端から下方に垂下するもので、病室で一般的に用いられているカーテンの網目の寸法よりも大きな上下方向寸法ｈ３を有している。本実施形態では、輸液フック３は、その全体が前記上下延出部３２１の上下方向寸法ｈ３の範囲内に配されている。前記折り返し部３２２は、上下延出部３２１の延出端に連続して設けられ前記輸液パックＰを掛け止める略Ｕ字状をなす掛け止め部分３２２ａと、この掛け止め部分３２２ａから連続して上方に延びる上向き部分３２２ｂと、この上向き部分３２２ｂの上端に連続して設けられ支柱２に向かって延びる先端部分３２２ｃとを備えたものであり、この先端部分３２２ｃと前記延出桿３１との間に輸液パックＰを挿脱するための前記開口３ｓが形成されている。前記折り返し部３２２の先端３２２ｘは、支柱２に向けて延出している。すなわち、前記折り返し部３２２の先端部分３２２ｃは、前記延出桿３１と平行である。前記延出桿３１は、図８に示すように、その基端に下方に屈曲して垂下する垂下部３１１を備えている。前記フック取付部材５は、支柱２の上端部に装着されたもので、その上面に、中心ボルト挿通孔５１と、この中心ボルト挿通孔５１の近傍から放射状に形成された複数本の延出桿保持溝５２と、これら各延出桿保持溝５２の基端に連続させて設けられた縦穴５３とが設けられている。前記延出桿３１は、その垂下部３１１を前記縦穴５３に挿入するとともに、その垂下部３１１に連続する基端部３１２を前記延出桿保持溝５２に嵌め合わせることによりフック取付部材５に保持されるようになっている。なお、フック取付部材５の上面には、前記中心ボルト挿通孔５１に対応する中心孔６１と、前記延出桿保持溝５２に対応する保持溝６２とを有したキャップ６が装着されるようになっており、このキャップ６の中心孔６１と前記フック取付部材５の中心ボルト挿通孔５１に挿通させたボルト６３を支柱２の内部に固設した図示しないナットに螺着することにより前記各延出桿３１を前記フック取付部材５に固定するようにしてある。以上のような輸液フック３の下方に、手を掛けることができるハンドル４を設けている。
【００２１】
前記ハンドル４は、図１〜図５に示すように、支柱２を囲う環状のハンドル本体４１と、このハンドル本体４１を支柱２に支持させるためのボス部４２とを備えてなる。このハンドル４は、左右両側及び前側からそれぞれ把持可能であり、このハンドル本体４１の内周面４１ａ側に全周に亘って連続した環状空間を形成している。本実施形態では、前記ハンドル本体４１の内周面４１ａ、上面４１ｂ及び外周面４１ｃが全周に亘って途切れることなく連続している。前記ハンドル本体４１は、環状をなす持ち手部４１１と、この持ち手部４１１の下面４１１ａと前記ボス部４２とを連結する連結部４１２とを備えており、その上面４１ｂが略水平となるように前記支柱２に取り付けられている。前記持ち手部４１１は、平面視において長軸を左右方向に向けて支柱２に取り付けられた楕円形状をなし、その断面形状は手を掛けやすくすべく略円形状に設定されている。前記環状空間は、この持ち手部４１１の内周に沿って環状をなすように連続したものである。前記連結部４１２は、前記持ち手部４１１の左右両端の下面４１１ａからそれぞれ前記ボス部４２に向かい延びる帯状のもので、持ち手部４１１に手を掛けた際に手と干渉しにくい位置に配している。前記ボス部４２は平面視において前記持ち手部４１１の中心に位置されている。このボス部４２は、支柱２に対して上下方向に取付位置を変更可能に取り付けられており、このハンドル４のボス部４２を緊締機構４３により前記支柱２に対して上下位置変更可能に固定している。この緊締機構４３は、前記ハンドル４の持ち手部４１１よりも下方に位置する部位に設けられている。前記緊締機構４３は、前記ハンドル４のボス部４２により構成される雌ねじを有するフレーム４３１と、このフレーム４３１の雌ねじに螺着された雄ねじを有するグリップ４３２と、前記雄ねじが外部に露出することを防止するカバー４３３とを具備する。この緊締機構４３は、前述した支柱２の上部要素２２を下部要素２１に固定するための緊締機構２３に準じた構成をなすものであるため、図示及び詳細な説明は省略する。
【００２２】
そして、この点滴スタンドＳは、図５及び図９を参照しつつ以下に述べるような手順によりネスティング可能である。まず、特定の点滴スタンドＳ（１）のハンドル４と、この特定の点滴スタンドＳ（１）と同一構造をなす他の点滴スタンドＳ（２）のハンドル４との上下方向相対位置を持ち手部４１１の上下方向寸法以上異ならせておく。次いで、特定の点滴スタンドＳ（１）の前方から、この点滴スタンドＳ（１）の中心フレーム１２１に他の点滴スタンドＳ（２）の中心フレーム１２１が平行となるように他の点滴スタンドＳ（２）を接近させる。このとき、特定の点滴スタンドＳ（１）の前側の脚フレーム１２２の下方に形成された蹴り込み空間１ｓ４を他の点滴スタンドＳ（２）の後側の脚フレーム１２３が通過する。そして、特定の点滴スタンドＳ（１）の支柱２に他の点滴スタンドＳ（２）のハンドル４の持ち手部４１１が接近又は当接し、特定の点滴スタンドＳ（１）の前側に他の点滴スタンドＳ（２）をネスティングさせることができる。
【００２３】
なお、以上の実施形態において、前後左右の概念は説明の便宜上用いたものであり、使用者Ｕの使用方向を規定するものではない。
【００２４】
以上に述べたように、本実施形態の点滴スタンドＳの構成によれば、折り返し部３２２の先端３２２ｘは延出桿３１の直下に位置し、該折り返し部３２２の先端３２２ｘと前記延出桿３１との間に形成される開口３ｓ内にカーテンが挟まることが起こりにくくなる。従って、利用者Ｕが移動する際に点滴スタンドＳの輸液フック３の折り返し部３２２の先端３２２ｘがカーテン等に引っかかってしまう不具合の発生を抑制することができる。
【００２５】
加えて、輸液フック３の全体が前記上下延出部３２１の上下方向寸法ｈ３の範囲内に配されているので、この点からも折り返し部３２２の先端３２２ｘがカーテン等に引っかかってしまう不具合の発生を効果的に抑制できる。
【００２６】
また、前記折り返し部３２２の先端３２２ｘが、支柱２に向けて延出しているので、折り返し部の先端が上方を向く構成のものと比較して、輸液フック３に輸液パックＰを容易に取り付けることができる。
【００２７】
さらに、前記折り返し部３２２の先端部分３２２ｃが、前記延出桿３１と平行であるので、折り返し部３２２の先端部分３２２ｃに輸液パックＰを引っ掛けた後輸液パックＰを支柱２から遠ざかる方向に略水平移動させることにより輸液フック３に輸液パックＰを取り付けることができるので、より好適に輸液フック３への輸液パックＰの取り付けの便を図ることができる。
【００２８】
加えて、前記延出桿３１と前記フック本体３２とが、連続した細長い素材により作られているので、このような輸液フック３を少ない部品点数で容易に形成することができる。
【００２９】
さらに、前記延出桿３１と前記フック本体３２とが、同一平面に沿って配置されているので、このような輸液フック３を容易に形成できるとともに、輸液フック３にカーテンが引っかかる不具合の発生をより効果的に解消できる。
【００３０】
そして、前記フック本体３２が、前記延出桿３１の延出端から下方に延びる上下延出部３２１と、この上下延出部３２１の延出端に連続して設けられ支柱２側に折り返す折り返し部３２２とを備えたものであり、前記折り返し部３２２が、前記輸液パックＰを掛け止める掛け止め部分３２２ａと、この掛け止め部分３２２ａから連続して上方に延びる上向き部分３２２ｂと、この上向き部分３２２ｂの上端に連続して設けられ支柱２に向かって延びる先端部分３２２ｃとを備えたものであり、この先端部分３２２ｃと前記延出桿３１との間に輸液パックＰを挿脱するための開口３ｓが形成されているので、輸液パックＰを、延出桿３１の下方でこの延出桿３１と折り返し部３２２の先端部分３２２ｃとの間の開口３ｓに位置付けた後先端部分３２２ｃに輸液パックＰを引っ掛け、さらに輸液パックＰを支柱２から遠ざける方向に移動させる一連の操作により輸液パックＰを掛け止め部分３２２ａに掛け止めた状態にすることができる。
【００３１】
なお、本発明は以上に述べた実施形態に限らない。
【００３２】
例えば、第１の変形例として、図１０〜図１３に示すような脚ベースＸ１を備えているものが考えられる。図１０〜図１３では、脚ベースＸ１以外の各部位には、上述した実施形態における符号の前にＸを付加した符号を付している。また、図１０〜図１２においては、支柱Ｘ２を一部省略して示している。この脚ベースＸ１は、キャスタＸ１１と、キャスタＸ１１を支持する支持部材Ｘ１２とを具備してなる。支持部材Ｘ１２は、樹脂により一体に成形されたもので、前記支柱Ｘ２を支持するための左右方向に延びる中心フレームＸ１２１と、この中心フレームＸ１２１の左右両端から前方に延出する前側の２本の脚フレームＸ１２２と、前記中心フレームＸ１２１の中間部から後方に延出する後側の２本の脚フレームＸ１２３とを備えており、平面視略Ｈ字状をなしている。前記中心フレームＸ１２１の中央には、前記支柱Ｘ２が立設されている。前記中心フレームＸ１２１及び前記前側の２本の脚フレームＸ１２２は、略同一平面上に配置されている。また、前記後側の２本の脚フレームＸ１２３は、前記中心フレームＸ１２１から後方斜め下方に延びるように配置されたものであり、その基端がこれら中心フレームＸ１２１及び前側の２本の脚フレームＸ１２２と略同一平面上に配置されている。換言すれば、前記後側の２本の脚フレームＸ１２３の先端部Ｘ１２３ａの高さ位置は、前側の２本の脚フレームＸ１２２の先端部Ｘ１２２ａの高さ位置よりも下方に設定されている。そして、この支持部材Ｘ１２の高さ寸法Ｘｈ１は、一般的な病室用ベッド下方の隙間に挿入可能な大きさに設定されている。また、この脚ベースＸ１は、前側の左右に隣接する２つのキャスタＸ１１間の距離Ｘｗ１を前側の左のキャスタＸ１１に隣接する後側の左のキャスタＸ１１と前側の右のキャスタＸ１１に隣接する後側の右のキャスタＸ１１との間の距離Ｘｗ２よりも大きく設定してある。さらに、この脚ベースＸ１は、前側の左右のキャスタＸ１１間に前方に開放された前の起立空間Ｘ１ｓ１が形成され、前側の左のキャスタＸ１１と後側の左のキャスタＸ１１との間に左側方及び後方に開放された左の起立空間Ｘ１ｓ２が形成され、前側の右のキャスタＸ１１と後側の右のキャスタＸ１１との間に右側方及び後方に開放された右の起立空間Ｘ１ｓ３が形成されるように構成されたものである。すなわち、脚フレームＸ１２２、Ｘ１２３の先端部Ｘ１２２ａ、Ｘ１２３ａ以外の部分が、少なくとも前側の左のキャスタＸ１１と後側の左のキャスタＸ１１とを結ぶ直線、前側の右のキャスタＸ１１と後側の右のキャスタＸ１１とを結ぶ直線よりも内側に位置している。また、前側の脚フレームＸ１２２の先端部Ｘ１２２ａ以外の部分が、前側の左のキャスタＸ１１と前側の右のキャスタＸ１１とを結ぶ直線よりも内側に位置している。具体的には、前記脚ベースＸ１は、先端にキャスタＸ１１を有した４本の脚フレームＸ１２２、Ｘ１２３を有する。前側のキャスタＸ１１を支持する２本の脚フレームＸ１２２は平面視において先端側が拡開するハの字状に配されている。後側のキャスタＸ１１を支持する２本の脚フレームＸ１２３は、平面視において先端側がそれぞれ中心フレームＸ１２１の延出方向に対して直交する方向に配されている。換言すれば、後側のキャスタＸ１１を支持する２本の脚フレームＸ１２３は、互いに平行に配されている。前側の脚フレームＸ１２２の下に同一構造をなす他の点滴スタンドＸＳの後側の脚フレームＸ１２３を重ねることが可能な空間が形成されるように構成されている。換言すれば、前後に隣接する点滴スタンドＸＳの後側の脚フレームＸ１２３同士を上下方向に重ねることが可能に構成されている。この構成によって、図１２及び図１３に示すような態様で、本変形例に係る特定の点滴スタンドＸＳ（１）の前方に同一構造をなす他の点滴スタンドＸＳ（２）をネスティングすることができる。前記前の起立空間Ｘ１ｓ１は、平面視において前方に開放されたもので、この点滴スタンドＸＳの前側に起立した使用者が当該点滴スタンドＸＳを後方に、すなわち使用者の進行方向に押しながら歩行することが可能な大きさに設定されている。前記左の起立空間Ｘ１ｓ２は、平面視において左側方及び後方に開放されたもので、この点滴スタンドＸＳの左側に起立した使用者が当該点滴スタンドＸＳを前方に押しながら歩行することが可能な大きさに設定されている。前記右の起立空間Ｘ１ｓ３は、平面視において右側方及び後方に開放されたもので、この点滴スタンドＸＳの右側に起立した使用者が当該点滴スタンドＸＳを前方に押しながら歩行することが可能な大きさに設定されている。そして、前記支持部材Ｘ１２を構成する前側の２本の脚フレームＸ１２２の下に、前記前の起立空間Ｘ１ｓ１及び前記左右の起立空間Ｘ１ｓ２、Ｘ１ｓ３にそれぞれ連通する蹴り込み空間Ｘ１ｓ４が形成されている。この蹴り込み空間Ｘ１ｓ４は、正面視、側面視及び背面視において視認可能に開口したもので、その高さ寸法Ｘｈ２は、一般的な体格を有する成人のつま先が歩行中に進入可能な大きさに設定されている。
【００３３】
本変形例に係る脚ベースＸ１を有する点滴スタンドＸＳの構成によっても、上述した実施形態に係る点滴スタンドＳと同一又はこれに準じた効果を得ることができる。
【００３４】
また、第２の変形例として、図１４に示すように、支柱Ａ２に設けたフック取付部材Ａ５から外方に延出する延出桿Ａ３１と、この延出桿Ａ３１の延出端部に設けられたフック本体Ａ３２とを備える輸液フックＡ３を備えるものであって、前記フック本体Ａ３２が、前記延出桿Ａ３１の延出端に連続して設けられ下方に延びる上下延出部Ａ３２１と、この上下延出部Ａ３２１の延出端に連続して設けられ支柱Ａ２側に折り返す折り返し部Ａ３２２とを具備してなり、この折り返し部Ａ３２２が、輸液パックＰを掛け止める掛け止め部分Ａ３２２ａと、この掛け止め部分Ａ３２２ａから連続して上方に延びる上向き部分Ａ３２２ｂとにより構成されるものが挙げられる。この変形例に係る輸液フックＡ３においても、折り返し部Ａ３２２の先端Ａ３２２ｘと前記延出桿Ａ３１との間に形成される開口Ａ３ｓは、支柱Ａ２側から輸液パックＰを挿脱し得る方向に開放されている。また、この輸液フックＡ３も、その全体が前記上下延出部Ａ３２１の上下方向寸法Ａｈ３の範囲内に配されている。本変形例に係る点滴スタンドの輸液フックＡ３以外の各部位は、上述した実施形態におけるものと同様の構成を有するので、図示及び詳細な説明は省略する。
【００３５】
さらに、第３の変形例として、図１５に示すように、支柱Ｂ２に設けたフック取付部材Ｂ５から外方に延出する延出桿Ｂ３１と、この延出桿Ｂ３１の延出端部に設けられたフック本体Ｂ３２とを備える輸液フックＢ３を備えるものであって、前記フック本体Ｂ３２が、前記延出桿Ｂ３１の延出端に連続して設けられ下方に延びる上下延出部Ｂ３２１と、この上下延出部Ｂ３２１の延出端に連続して設けられ支柱Ｂ２側に折り返す折り返し部Ｂ３２２とを具備してなり、この折り返し部Ｂ３２２と前記上下延出部Ｂ３２１との境界部分が輸液パックＰを掛け止める掛け止め部分としての機能を有するものが挙げられる。前記折り返し部Ｂ３２２は、支柱Ｂ２から離間するにつれ下方に向かう傾斜を有している。本変形例に係る輸液フックＢ３においても、折り返し部Ｂ３２２の先端Ｂ３２２ｘと前記延出桿Ｂ３１との間に形成される開口Ｂ３ｓは、支柱Ｂ２側から輸液パックＰを挿脱し得る方向に開放されている。また、この輸液フックＢ３も、その全体が前記上下延出部Ｂ３２１の上下方向寸法Ｂｈ３の範囲内に配されている。この変形例に係る点滴スタンドの輸液フックＢ３以外の各部位は、上述した実施形態におけるものと同様の構成を有するので、図示及び詳細な説明は省略する。
【００３６】
加えて、第４の変形例として、図１６に示すように、支柱Ｃ２に設けたフック取付部材Ｃ５から外方に延出する延出桿Ｃ３１と、この延出桿Ｃ３１の延出端部に設けられたフック本体Ｃ３２とを備える輸液フックＣ３を備えるものであって、前記フック本体Ｃ３２が、前記延出桿Ｃ３１の延出端に連続して設けられ上方に延びる上下延出部Ｃ３２１と、この上下延出部Ｃ３２１の延出端に連続して設けられ支柱Ｃ２側に折り返す折り返し部Ｃ３２２とを具備してなるものが挙げられる。前記延出桿Ｃ３１は支柱Ｃ２から離間するにつれ下方に向かう傾斜を有しており、この延出桿Ｃ３１と前記フック本体Ｃ３２との境界部分が輸液パックＰを掛け止める掛け止め部分としての機能を有する。本変形例に係る輸液フックＣ３においても、折り返し部Ｃ３２２の先端Ｃ３２２ｘと前記延出桿Ｃ３１との間に形成される開口Ｃ３ｓは、支柱Ｃ２側から輸液パックＰを挿脱し得る方向に開放されている。また、この輸液フックＣ３も、その全体が前記上下延出部Ｃ３２１の上下方向寸法Ｃｈ３の範囲内に配されている。この変形例に係る点滴スタンドの輸液フックＣ３以外の各部位は、上述した実施形態におけるものと同様の構成を有するので、図示及び詳細な説明は省略する。
【００３７】
これら第２〜第４の変形例に係る点滴スタンドの輸液フックＡ３、Ｂ３、Ｃ３の構成によっても、折り返し部Ａ３２２、Ｂ３２２、Ｃ３２２の先端Ａ３２２ｘ、Ｂ３２２ｘ、Ｃ３２２ｘと延出桿Ａ３１、Ｂ３１、Ｃ３１との間にそれぞれ形成される開口Ａ３ｓ、Ｂ３ｓ、Ｃ３ｓが支柱Ａ２、Ｂ２、Ｃ２側から輸液パックＰを挿脱し得る方向に開放されているので、上述した実施形態に係る構成に係る最も主要な効果、すなわち利用者Ｕが移動する際に輸液フックＡ３、Ｂ３、Ｃ３の折り返し部Ａ３２２、Ｂ３２２、Ｃ３２２の先端Ａ３２２ｘ、Ｂ３２２ｘ、Ｃ３２２ｘがカーテンに引っかかってしまう不具合の発生を抑制することができるという効果を得ることができる。また、これらの輸液フックＡ３、Ｂ３、Ｃ３もまた、いずれもその全体が前記上下延出部Ａ３２１、Ｂ３２１、Ｃ３２１の上下方向寸法Ａｈ３、Ｂｈ３、Ｃｈ３の範囲内に配されているので、この点からも折り返し部Ａ３２２、Ｂ３２２、Ｃ３２２の先端Ａ３２２ｘ、Ｂ３２２ｘ、Ｃ３２２ｘがカーテン等に引っかかってしまう不具合の発生を効果的に抑制できる。
【００３８】
加えて、第３の変形例に係る輸液フックＢ３の構成によれば、折り返し部分Ｂ３２２が支柱Ｂ２から離間するにつれ下方に向かう傾斜を有しているので、延出桿Ｂ３１と折り返し部Ｂ３２２の先端３２２ｘとの間の開口Ｂ３ｘに位置付けた後折り返し部Ｂ３２２に輸液パックＰを引っ掛け、さらに輸液パックＰを支柱Ｂ２から遠ざける方向に移動させる一連の操作により輸液パックＰをこの輸液フックＢ３に掛け止めた状態にすることができる。
【００３９】
さらに、上述した実施形態及び各変形例に係る輸液フックの延出桿及びフック本体は、いずれも連続した細長い素材により作られたものであるが、延出桿とフック本体とをそれぞれ別個の部材により形成しフック本体を延出桿に取り付けるようにする態様を採用してもよく、また、１枚の板を切り抜いてこれら延出桿及びフック本体を一体に形成するようにしてもよい。
【００４０】
加えて、上述した実施形態及び各変形例に係る輸液フックの延出桿及びフック本体は、いずれも同一平面に沿って配置されたものであるが、例えばこれら延出桿及びフック本体を同一の円筒面に沿って配置する態様等を採用してもよい。
【００４１】
そして、上述した実施形態では各輸液フックの延出桿の基端に下方に屈曲して垂下する垂下部を設け、この垂下部を支柱に設けたフック取付部材の縦穴に挿入するとともに、その垂下部に連続する基端部を前記フック取付部材の延出桿保持溝に嵌め合わせるようにしているが、例えば、２つの輸液フックの延出桿を一体に形成しこの延出桿の両端部にフック本体を設けるとともに、該延出桿の中間部分を支柱に設けたフック取付部材の延出桿保持溝に嵌め合わせるようにする態様を採用してもよい。この場合、延出桿の中間部分とフック取付部材との間に凹凸係合により延出桿とフック取付部材とが延出桿の延出方向に移動することを規制するズレ止め部を設けることが望ましい。さらに、ハブ部から４つの輸液フックの延出桿をそれぞれ延出させたものを一体に形成するとともに、前記ハブ部及びこのハブ部に隣接する延出桿の基端部を支柱に設けたフック取付部材の延出桿保持溝に嵌め合わせるようにする態様を採用してもよい。
【００４２】
その他、本発明の趣旨を損ねない範囲で種々に変形してよい。
【符号の説明】
【００４３】
Ｓ、ＸＳ…点滴スタンド
１、Ｘ１…脚ベース
２、Ｘ２、Ａ２、Ｂ２、Ｃ２…支柱
３、Ａ３、Ｂ３、Ｃ３…輸液フック
３１、Ａ３１、Ｂ３１、Ｃ３１…延出桿
３２、Ａ３２、Ｂ３２、Ｃ３２…フック本体
３２１、Ａ３２１、Ｂ３２１、Ｃ３２１…上下延出部
３２２、Ａ３２２、Ｂ３２２、Ｃ３２２…折り返し部
３２２ａ…掛け止め部分
３２２ｂ…上向き部分
３２２ｃ…先端部分
３２２ｘ、Ａ３２２ｘ、Ｂ３２２ｘ、Ｃ３２２ｘ…折り返し部の先端
３ｓ、Ａ３ｓ、Ｂ３ｓ、Ｃ３ｓ…開口
Ｐ…輸液パック
【図１】
2013017653.tif 000003
【図２】
2013017653.tif 000004
【図３】
2013017653.tif 000005
【図４】
2013017653.tif 000006
【図５】
2013017653.tif 000007
【図６】
2013017653.tif 000008
【図７】
2013017653.tif 000009
【図８】
2013017653.tif 000010
【図９】
2013017653.tif 000011
【図１０】
2013017653.tif 000012
【図１１】
2013017653.tif 000013
【図１２】
2013017653.tif 000014
【図１３】
2013017653.tif 000015
【図１４】
2013017653.tif 000016
【図１５】
2013017653.tif 000017
【図１６】
2013017653.tif 000018